(57)【要約】【課題】複数のユーザが単一の機器を使用してコンテンツを視聴する場合に、視聴環境の優劣を実現する。【解決手段】本開示に係る表示装置は、複数のユーザから送られたコンテンツの選択コマンドを取得するコマンド取得部と、前記複数のユーザの少なくとも一部が同一のコンテンツを視聴する場合、コンテンツの表示領域を拡大する表示処理部と、を備える。これにより、複数のユーザが単一の機器を使用してコンテンツを視聴する場合に、視聴環境の優劣を実現することができる。【選択図】図２
2013046202.tif 000002
【特許請求の範囲】
【請求項１】
複数の制御機器から送られたコンテンツの選択コマンドを取得するコマンド取得部と、
前記複数の制御機器を使用するユーザの少なくとも一部が同一のコンテンツを視聴する場合、コンテンツの表示領域を拡大する表示処理部と、
を備える、制御装置。
【請求項２】
前記選択コマンドによって選択された前記コンテンツに関する権限を演算する権限演算部を備え、
前記表示処理部は、演算された前記権限に基づいてコンテンツの表示領域を可変する、請求項１に記載の制御装置。
【請求項３】
前記表示処理部は、演算された前記権限の値が大きいほど、前記コンテンツの表示領域を大きくする、請求項２に記載の制御装置。
【請求項４】
前記権限は、前記コンテンツを選択する前記制御機器の数が多いほど大きな値とされる、請求項２に記載の制御装置。
【請求項５】
前記権限は、前記複数の制御機器に応じて定められた、請求項２に記載の制御装置。
【請求項６】
制御機器と、前記制御機器により遠隔操作される制御装置を有し、
前記制御装置は、
複数の制御機器から送られたコンテンツの選択コマンドを取得するコマンド取得部と、
前記複数の制御機器を使用するユーザの少なくとも一部が同一のコンテンツを視聴する場合、コンテンツの表示領域を拡大する表示処理部と、
を備える、表示システム。
【請求項７】
複数の制御機器がコンテンツの選択コマンドを送信することと、
制御装置が、前記複数の制御機器から送られた前記選択コマンドを取得することと、
前記複数の制御機器を使用するユーザの少なくとも一部が同一のコンテンツを視聴する場合、制御装置が、コンテンツの表示領域を拡大することと、
を備える、表示方法。
【発明の詳細な説明】
【技術分野】
【０００１】
本開示は、表示装置、表示システム、及び表示方法に関する。
【背景技術】
【０００２】
従来から、テレビ受像機（ＴＶ）などの表示機器を利用して、複数のユーザーが異なるコンテンツを視聴したい場合に、複数の画面を表示する方法が知られている。例えば、特許文献１には、複数の画面のうちのいずれかの画面の選択及び選択された画面に対する表示処理の操作を入力すると、表示部における画面の表示サイズを変更することが記載されている。
【先行技術文献】
【特許文献】
【０００３】
【特許文献１】特開２００９−５５４７６号公報
【発明の概要】
【発明が解決しようとする課題】
【０００４】
しかしながら、テレビ受像機などの１つの機器に複数の映像を表示する場合、２画面視聴や Picture in Picture などの従来機能では、最大２種類のコンテンツのみしか同時に視聴できないという問題がある。
【０００５】
また、２画面視聴では、それぞれのコンテンツ表示領域のサイズは同じであり、表示サイズを変更できる上記従来例においても、複数のユーザーが同じコンテンツを視聴したい場合や、権限の強いユーザーが存在する状況下でも、視聴環境の優劣を実現することができなかった。
【０００６】
このため、複数のユーザが単一の機器を使用してコンテンツを視聴する場合に、視聴環境の優劣を実現することが望まれていた。
【課題を解決するための手段】
【０００７】
本開示によれば、複数の制御機器から送られたコンテンツの選択コマンドを取得するコマンド取得部と、前記複数の制御機器を使用するユーザの少なくとも一部が同一のコンテンツを視聴する場合、コンテンツの表示領域を拡大する表示処理部と、を備える、表示装置が提供される。
【発明の効果】
【０００８】
本開示によれば、複数のユーザが単一の機器を使用してコンテンツを視聴する場合に、視聴環境の優劣を実現することができる。
【図面の簡単な説明】
【０００９】
【図１】本開示の一実施形態に係るリモートコントローラを含むリモートコントローラシステムを示す図である。
【図２】リモートコントローラおよびテレビの機能構成を示すブロック図である。
【図３】４人のユーザがリモートコントローラでテレビを操作している様子を示す模式図である。
【図４】ユーザ２とユーザ４が同じコンテンツ２を視聴している状態を示す模式図である。
【図５】ディスプレイの空き領域に、最も権限の大きいコンテンツに対応する関連情報などを表示した例を示す模式図である。
【図６】最も大きく表示されているコンテンツ２の音声をテレビから発音させ、その他のコンテンツ１，３についてはリモートコントローラから発音させている例を示す模式図である。
【図７】本実施形態のシステムの処理を示すフローチャートである。
【発明を実施するための形態】
【００１０】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１１】
なお、説明は以下の順序で行うものとする。
１．リモートコントローラシステムの概要
２．システムの構成例
３．システムの動作の例
４．システムの動作フロー
【００１２】
［１．リモートコントローラシステムの概要］
以下では、本開示の一実施形態に係る、リモートコントローラ（リモートコマンダー（遠隔操作入力装置）１００とテレビ１０からなるシステムについて説明する。ただし、本開示は、リモートコントローラ１００に限らず、タッチパネルディスプレイ１０１を搭載した携帯情報端末（ＰＤＡ）、携帯電話等、携帯型の情報処理装置にも同様に適用することができる。
【００１３】
図１は、本開示の一実施形態に係るリモートコントローラ１００を含むシステムを示す図である。図１に示すように、本実施形態のシステムは、例えばタッチパネルディスプレイ１０１を搭載したリモートコントローラ１００、およびリモートコントローラ１００を通じて操作されるテレビ（制御装置）１０を含む。なお、テレビ１０は、制御装置の一例であり、リモートコントローラ１００を通じて操作される電子機器の一例であるが、制御装置は、パーソナルコンピュータ（ＰＣ）など、表示機能を備えた他の表示装置であっても良い。また、制御装置は、モニタを接続して使用する電子機器（セットトップボックス（ＳＴＢ）等）であっても良い。
【００１４】
本実施形態のシステムでは、少なくともリモートコントローラ１００からテレビ１０の方向に有線通信または無線通信が行われる。リモートコントローラ１００−テレビ１０間の通信は、直接的に行われてもよく、不図示のネットワーク等を介して間接的に行われてもよい。
【００１５】
リモートコントローラ１００は、テレビ１０を操作するための操作用アイコン等をタッチパネルディスプレイ１０１に表示する。アイコン選択等の操作入力が行われると、リモートコントローラ１００は、操作入力に応じて所定の操作コマンドＣをテレビ１０に送信する。テレビ１０は、操作コマンドＣを受信し、操作コマンドＣに応じて所定の動作を行う。なお、リモートコントローラ１００とテレビ１１との間の通信方式としては、例えば、赤外線（ＩＲ）を使用した方式、ＲＦ、Ｂｌｕｅｔｏｏｔｈ等を使用した方式、ＩＰネットワークを使用した方式等を用いることができる。
【００１６】
図１に示すように、本実施形態に係るシステムでは、複数のユーザがリモートコントローラ１００を使用して同時にテレビ１０を視聴することができる。このため、テレビ１０のディスプレイ１１には、複数のコンテンツ表示領域が設定される。コンテンツ表示領域の大きさは可変であり、それぞれのコンテンツ表示領域には異なるコンテンツが表示される。図１の例では、４人のユーザのそれぞれがリモートコントローラ１００を使用して異なるコンテンツ１〜４を視聴する例を示している。このように、本実施形態に係るシステムでは、１台のテレビ１０を使用して、各ユーザが異なるコンテンツを視聴することができる。また、各ユーザは、リモートコントローラ１００を使用して、テレビ１０を個々に操作することができる。
【００１７】
［２．システムの構成例］
図２には、リモートコントローラ１００およびテレビ１０の機能構成が示されている。リモートコントローラ１００は、タッチパネルディスプレイ１０１、制御部１０３、メモリ１０５、通信部１０７、アンテナ１０８、スピーカ１０９、コンテンツ取得部１１０を含む。テレビ１０は、ディスプレイ１１、制御部１３、メモリ１５、通信部１７、アンテナ１８、放送波受信部１９を含む。なお、図２には、本開示の一実施形態に係る主要な機能構成のみが示されている。
【００１８】
まず、リモートコントローラ１００の機能構成について説明する。タッチパネルディスプレイ１０１は、表示パネル１０１ａにタッチパネル１０１ｂ（検出部）が積層された構成を有する。表示パネル１０１ａとしては、液晶ディスプレイ（ＬＣＤ）等が利用される。タッチパネル１０１ｂとしては、抵抗膜方式、静電容量方式、超音波方式、赤外線方式等のパネルが利用される。
【００１９】
タッチパネル１０１ｂは、パネル面に対する指の接触状態を検出する。なお、接触状態に代えてまたは接触状態に加えて、指の近接状態を検出してもよい。タッチパネル１０１ｂは、タッチパネル１０１ｂに指が接触した時点で接触信号を制御部１０３に供給し、タッチパネル１０１ｂから指が離れた時点で解除信号を制御部１０３に供給する。
【００２０】
また、タッチパネル１０１ｂは、タッチパネル１０１ｂに指が接触している間、接触位置に対応した座標信号を制御部１０３に供給する。ここで、座標信号は、タッチパネル１０１ｂに対する接触位置のＸ−Ｙ座標を表している。
【００２１】
制御部１０３は、ＣＰＵ、ＲＡＭ、ＲＯＭ等を含み、ＣＰＵは、ＲＡＭを作業メモリとして用いて、ＲＯＭに格納されているプログラムを実行し、リモートコントローラ１００の各部を制御する。制御部１０３は、プログラムにより、タッチパネル１０１ｂ上での操作入力情報を取得して処理する操作情報処理部１０３ａ、テレビ１０へ送信するコマンドに関する処理を行うコマンド処理部１０３ｂ、表示パネル１０１ａの表示を制御する表示処理部１０３ｂとして機能する。
【００２２】
メモリ１０５は、ＥＥＰＲＯＭ等の不揮発性メモリであり、アイコンデータ、コマンド情報、リモートコントローラ１００の権限に関する情報等を格納している。通信部１０７は、ユーザーによる操作入力に応じて、所定の操作コマンドＣをアンテナ１０８を介してテレビ１０に送信する。
【００２３】
制御部１０３の操作情報処理部１０３ａは、タッチパネル１０１ｂから供給された座標信号をデコードして座標データを生成し、座標データおよび接触／解除信号に基づいて、リモートコントローラ１００の各部を制御する。制御部１０３のコマンド処理部１０３ｂは、ユーザによる操作入力に応じて、操作入力情報に応じたコマンド情報を通信部１０７に供給する。この際、コマンド処理部１０３ｂは、必要に応じて操作入力情報に応じたコマンド情報をメモリ１０５から読み出す。コマンド情報には、コンテンツを選択するための選択コマンドの情報が含まれる。また、コマンド処理部１０３ｂは、リモートコントローラ１００の権限に関する情報をメモリ１０５から読出し、権限に関する情報をコマンド情報に含めて通信部１０７に供給する。通信部１０７は、コマンド情報に基づいて、所定の操作コマンドＣをアンテナ１０８からテレビ１０に送信する。操作コマンドＣには、テレビ１０のディスプレイ１１に表示されるコンテンツの選択コマンドを含む。
【００２４】
制御部１０３の表示処理部１０３ｃは、メモリ１０５に記憶されているアイコンデータを読出してＧＵＩ画面の表示データを生成し、表示データを表示パネル１０１ａに供給する。表示パネル１０１ａは、表示データに基づいてＧＵＩ画面を表示する。
【００２５】
コンテンツ取得部１１０は、インターネットなどのネットワークからコンテンツを取得する。また、スピーカ１０９は音声を発音する。
【００２６】
次に、テレビ１０の機能構成について説明する。ディスプレイ１１は、操作画面、コンテンツ等を表示する。コンテンツには、放送波受信部１９が受信した、映画、ニュース、バラエティ番組など、通常のテレビが表示するコンテンツが含まれる。制御部１３は、ＣＰＵ、ＲＡＭ、ＲＯＭ等を含み、テレビ１０の各部を制御する。ＣＰＵは、ＲＡＭを作業メモリとして用いて、ＲＯＭに格納されているプログラムを実行し、テレビ１０の各部を制御する。制御部１３は、プログラムにより、リモートコントローラ１００から受信した操作コマンドＣを取得する処理を行うコマンド処理部１３ａ、操作コマンドＣに基づいてコンテンツ表示領域に関する権限についての演算を行う権限演算部１３ｂ、ディスプレイ１１上の表示の処理を行う表示処理部１３ｃとして機能する。また、表示処理部１３ｃは、権限に応じてコンテンツ表示領域の大きさを可変する処理を行う。メモリ１５は、ＥＥＰＲＯＭ等の不揮発性メモリであり、操作画面情報、操作コマンド情報等を格納している。
【００２７】
通信部１７は、アンテナ１８を介して、操作コマンドＣをリモートコントローラ１００から受信する。なお、通信部１７は、操作コマンドＣの受信以外に、テレビ１０に対応する操作画面情報、操作コマンド情報、テレビ１０の状態を示すステータス情報等をリモートコントローラ１００に送信することもできる。また、通信部１７は、ディスプレイ１１上に表示されるコンテンツをリモートコントローラ１００の表示パネル１０１ａに表示するため、コンテンツに係る情報をリモートコントローラ１００へ送信する。
【００２８】
制御部１３のコマンド処理部１３ａは、リモートコントローラ１００から操作コマンドＣを取得すると、コマンド情報に基づいて、操作コマンドＣに対応する処理を実行するように、テレビ１１の各部を制御する。
【００２９】
［３．システムの動作の例］
次に、本実施形態のシステムにおける動作について説明する。図３〜図５は、本実施形態のシステムにおける動作を説明するための模式図である。ここで、図３は、４人のユーザが異なるリモートコントローラ１００を使用して、１つのテレビ１０で異なるコンテンツを視聴している様子を示す模式図である。図３に示す状態では、４人のユーザ１〜４が異なるコンテンツ１〜４をそれぞれ視聴し、同一の権限でテレビ１０を視聴している状態を示している。後で詳細に説明するが、図３に示すように、権限が同一の場合、ディスプレイ１１が４分割されて、各ユーザが視聴する４つのコンテンツ１〜４が同じ大きさでディスプレイ１１に表示される。
【００３０】
図４は、ユーザ１がコンテンツ１を視聴し、ユーザ３がコンテンツ３を視聴している点は図３と同様であるが、ユーザ２とユーザ４が同じコンテンツ２を視聴している状態を示している。この場合、コンテンツ２は、２名のユーザによって視聴されているため、２名のコンテンツ表示領域が統合された状態となり、より大きな領域で表示される。一方、１名のユーザのみによって視聴されているコンテンツ１，３の表示領域は小さくなる。従って、コンテンツ２は、１名のユーザのみによって視聴されているコンテンツ１，３と比較すると、より大きく表示される。このように、本実施形態では、コンテンツに係る権限に応じて表示画面の大きさが決定され、視聴者数（視聴率）の高いコンテンツほど、そのコンテンツに係る権限が大きくなり、ディスプレイ１１上での表示領域が大きく設定される。従って、権限に応じて、視聴者数が多いコンテンツなどをより大きな範囲で表示することができる。
【００３１】
図５は、各ユーザが異なる権限を備えたリモートコントローラ１００を使用している場合の例を示す模式図である。この場合、権限の強いリモートコントローラ１００を使用しているユーザが選択したコンテンツほど、表示領域が大きくなる。図５の例では、ユーザ１〜４がコンテンツ１〜４をそれぞれ視聴しているが、ユーザ４が使用しているリモートコントローラ１００の権限は“３”で最も大きいため、ユーザ４が視聴しているコンテンツ４の表示領域が最も大きくなる。ユーザ３が使用しているリモートコントローラ１００の権限は“２”であるため、ユーザ３が視聴しているコンテンツ３の表示領域は、コンテンツ４よりも小さくなる。また、ユーザ１，２が使用しているリモートコントローラ１００の権限は“１”であるため、ユーザ１，２が視聴しているコンテンツ１，２の表示領域は、最も小さくなる。
【００３２】
ここで、例えば権限が“１”のリモートコントローラ１００を使用しているユーザ２名が同じコンテンツを視聴する場合は、２名のコンテンツ表示領域が統合され、権限が加算されて“２（＝１＋１）”となる。従って、２名分のコンテンツ表示領域は、統合の結果、権限が“２”のリモートコントローラ１００を使用しているユーザと同じ大きさのコンテンツ表示領域となる。
【００３３】
また、コンテンツ表示領域の大きさを可変とすることで、テレビ１０のディスプレイ１１に、どのコンテンツの表示にも利用されない空き領域が発生する場合がある。この場合、空き領域に視聴中のコンテンツの関連情報等を表示しても良い。図５に示す例では、最も権限の大きいユーザ４が視聴するコンテンツ４の表示領域を最大にして表示するとともに、ディスプレイ１１に発生した空き領域に、最も権限の大きいコンテンツ４に対応する関連情報などを表示した例を示している。このように、コンテンツの大きさを変化させた際に、ディスプレイ１１に空きスペースが生じた場合は、コンテンツに係る関連情報、詳細情報等を表示することもできる。
【００３４】
また、コンテンツ表示領域で複数のコンテンツが表示されている場合、テレビ１０からは最も権限の大きなコンテンツ表示領域のコンテンツの音声を再生してもよい。また、その他のコンテンツの音声は、リモートコントローラ１００から再生してもよい。図６は、最も権限が大きく、最も大きく表示されているコンテンツ２の音声をテレビ１０から発音させ、その他のコンテンツ１，３については、コンテンツ１，３を視聴しているユーザ１，３のリモートコントローラ１００から発音させている例を示す模式図である。これにより、権限の大きなコンテンツを視聴しているユーザは、テレビ１０から発音された音声を直接聴くことができるとともに、権限の小さなコンテンツを視聴しているユーザも、自身の視聴しているコンテンツの音声をリモートコントローラ１００から確実に聴き取ることができる。この場合、テレビ１０からは最も権限の大きいコンテンツの音声のみを発音させ、他のコンテンツの音声は通信部１７からリモートコントローラ１００へ送信し、リモートコントローラ１００のスピーカ１０９から発音させる。
【００３５】
また、各ユーザがリモートコントローラ１００を操作してディスプレイ１１上でゲーム等を行う場合、各ユーザの得点などの優劣を利用して権限を決定し、コンテンツ表示領域のサイズを変更してもよい。
【００３６】
また、リモートコントローラ１００がスマートフォンなどのモバイル機器の場合、各リモートコントローラ１００は、コンテンツ取得部１１０によりインターネットなどのネットワークからコンテンツを取得することができる。この場合、各ユーザは、各リモートコントローラ１００が個々に取得したコンテンツをテレビ１０に送信し、ディスプレイ１１上に表示して視聴することもできる。この場合においても、上述した例と同様に、権限に応じてコンテンツ表示領域の大きさを可変することができる。この場合、各リモートコントローラ１００から映像、音声のデータをテレビ１０に送信して、テレビ１０の画面上で表示して視聴する。リモートコントローラ１００の制御部１０３は、コンテンツ取得部１１０が取得したコンテンツのデータをテレビ１０へ送信する。そして、テレビ１０の制御部１３は、リモートコントローラ１００から受信したコンテンツを、リモートコントローラ１００の権限に応じた大きさでディスプレイ１１に表示する。
【００３７】
また、リモートコントローラ１００は同一の家庭に存在するものに限定されるものではない。例えば、リモートコントローラ１００は異なる家庭に存在してもよい。この場合、各ユーザがテレビ１０を共有するわけではないが、テレビ電話やオンラインゲームなどのアプリケーションを利用する際に、上述した場合と同様に権限に応じて表示領域を可変することができる。
【００３８】
［４．システムの動作フロー］
次に、図７に基づいて、本実施形態のシステムにおける処理について説明する。図７は、本実施形態のシステムの処理を示すフローチャートである。図７においては、ステップＳ１０で権限ＡＲｉを有するリモートコントローラＲｉから新たにコンテンツＣｊの選択コマンドを受信すると、ステップＳ１４〜Ｓ２０において、そのリモートコントローラＲｉに既に関連付けられているコンテンツがある場合は、そのコンテンツから権限ＡＲｉを除く処理（または、そのコンテンツ自体を削除する処理）が行われる。そして、ステップＳ２２〜Ｓ２６において、新たに選択されたコンテンツＣｊにリモートコントローラＲｉの権限ＡＲｉを加算し、権限に応じた大きさでコンテンツの表示を行う。
【００３９】
先ず、ステップＳ１０では、権限ＡＲｉのリモートコントローラＲｉからコンテンツＣｊの選択コマンドを受信する。次のステップＳ１２では、リモートコントローラＲｉの権限ＡＲｉに既に関連付けられたコンテンツ表示領域Ｄｋが存在するか否かを判定する。
【００４０】
ステップＳ１２で権限ＡＲｉに既に関連付けられたコンテンツ表示領域Ｄｋが存在する場合は、ステップＳ１４へ進む。ステップＳ１４では、コンテンツ表示領域Ｄｋが他のリモートコントローラ１００にも関連付けられているか否かを判定する。コンテンツ表示領域Ｄｋが他のリモートコントローラ１００にも関連付けられている場合は、ステップＳ１６へ進み、コンテンツ表示領域Ｄｋの権限ＡＤｋから権限ＡＲｉを減算する。これにより、リモートコントローラＲｉに既に関連付けられていたコンテンツ表示領域Ｄｋに関して、コンテンツＣｊが新たに選択されたことによって、表示領域Ｄｋの権限から権限ＡＲｉが減算される。
【００４１】
一方、ステップＳ１４でコンテンツ表示領域Ｄｋが他のリモートコントローラ１００にも関連付けられていない場合は、ステップＳ１８へ進む。ステップＳ１８では、コンテンツＣｊが、他のユーザが視聴中のコンテンツと同じであるか否かを判定する。コンテンツＣｊが、他のユーザが視聴中のコンテンツと同じである場合は、ステップＳ２０へ進み、既に関連付けられたコンテンツ表示領域Ｄｋを削除する。ステップＳ２０の後はステップＳ２４へ進む。
【００４２】
また、ステップＳ１２で権限Ｒｉに関連付けられたコンテンツ表示領域Ｄｋが存在しない場合、またはステップＳ１６の後は、ステップＳ２２へ進む。ステップＳ２２では、新規に選択されたコンテンツＣｊが、他のユーザが視聴中のコンテンツと同じであるか否かを判定する。ステップＳ２２でコンテンツＣｊが他のユーザが視聴中のコンテンツと同じである場合は、ステップＳ２４へ進む。
【００４３】
ステップＳ２４では、新規に選択されたコンテンツＣｊが表示されているコンテンツ表示領域Ｄｋの権限ＡＤｋに対してリモートコントローラＲｉの権限ＡＲｉを加算し、コンテンツ表示領域ＤｋをリモートコントローラＲｉに関連付ける。
【００４４】
また、ステップＳ２２でコンテンツＣｊが他のユーザが視聴中のコンテンツと同じでない場合は、ステップＳ２６へ進む。ステップＳ２６では、リモートコントローラＲｉのコンテンツ表示領域ＤＩを新しく追加し、コンテンツ表示領域ＤＩをリモートコントローラＲｉに関連付ける。コンテンツ表示領域ＤＩの権限ＡＤＩは、リモートコントローラＲｉの権限ＡＲｉとする。
【００４５】
ステップＳ２４、ステップＳ２６の後はステップＳ２８へ進む。ステップＳ２８では、コンテンツ表示領域Ｄ０．．．Ｄｎの権限ＡＤ０．．．ＡＤｎに基づいて、コンテンツ表示領域Ｄ０．．．Ｄｎのサイズを計算し、表示機器（テレビ１０）のディスプレイ１１に反映させる。ここで、権限ＡＤ０．．．ＡＤｎが大きいほど、コンテンツ表示領域Ｄ０．．．Ｄｎのサイズを大きくする。ステップＳ２８の後は処理を終了する。
【００４６】
以上説明したように本実施形態によれば、１つのテレビ１０に各ユーザが視聴する複数のコンテンツを表示し、各ユーザがリモートコントローラ１００でコンテンツの選択をできるようにした。また、各コンテンツの大きさを可変とし、視聴者数が多いコンテンツなど、コンテンツに係る権限が大きい場合は、表示領域を大きくするようにした。従って、権限に応じてコンテンツの大きさを可変することができ、複数のユーザが最適な状況で各コンテンツを視聴することが可能となる。
【００４７】
これにより、１つの表示機器（テレビ１０）を複数のユーザが共有し、コンテンツ視聴を楽しむことのできるユーザインターフェースを提供することが可能となる。また、表示機器を共有しているユーザのうち、複数のユーザが同じコンテンツを視聴したい場合や、異なる権限のユーザーが存在する状況下で、視聴環境の優劣を最適に実現することが可能となる。
【００４８】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４９】
なお、以下のような構成も本開示の技術的範囲に属する。
（１）複数の制御機器から送られたコンテンツの選択コマンドを取得するコマンド取得部と、
前記複数の制御機器を使用するユーザの少なくとも一部が同一のコンテンツを視聴する場合、コンテンツの表示領域を拡大する表示処理部と、
を備える、制御装置。
【００５０】
（２）前記選択コマンドによって選択された前記コンテンツに関する権限を演算する権限演算部を備え、
前記表示処理部は、演算された前記権限に基づいてコンテンツの表示領域を可変する、前記（１）に記載の制御装置。
【００５１】
（３）前記表示処理部は、演算された前記権限の値が大きいほど、前記コンテンツの表示領域を大きくする、前記（２）に記載の制御装置。
【００５２】
（４）前記権限は、前記コンテンツを選択する前記制御機器の数が多いほど大きな値とされる、前記（２）に記載の制御装置。
【００５３】
（５）前記権限は、前記複数の制御機器に応じて定められた、前記（２）に記載の制御装置。
【００５４】
（６）制御機器と、前記制御機器により遠隔操作される制御装置を有し、
前記制御装置は、
複数の制御機器から送られたコンテンツの選択コマンドを取得するコマンド取得部と、
前記複数の制御機器を使用するユーザの少なくとも一部が同一のコンテンツを視聴する場合、コンテンツの表示領域を拡大する表示処理部と、
を備える、表示システム。
【００５５】
（７）複数の制御機器がコンテンツの選択コマンドを送信することと、
制御装置が、前記複数の制御機器から送られた前記選択コマンドを取得することと、
前記複数の制御機器を使用するユーザの少なくとも一部が同一のコンテンツを視聴する場合、制御装置が、コンテンツの表示領域を拡大することと、
を備える、表示方法。
【符号の説明】
【００５６】
１０    テレビ（表示装置）
１３ａ  コマンド取得部
１３ｂ  権限演算部
１３ｃ  表示処理部
１００  リモートコントローラ
【図１】
2013046202.tif 000003
【図２】
2013046202.tif 000004
【図３】
2013046202.tif 000005
【図４】
2013046202.tif 000006
【図５】
2013046202.tif 000007
【図６】
2013046202.tif 000008
【図７】
2013046202.tif 000009